(57)【要約】【課題】製本印刷、未綴じ折印刷を行うときに表紙に透明フィルムなどを使用して裏面に鏡像で印刷をする必要がある場合、透明フィルムが反転排紙できないと最終的な印刷物の見栄えが異なってしまう。【解決手段】表紙と本文の画像データを含む製本用の印刷データを受け取ると、前記表紙の画像データを印刷するシートが特定のシートかどうかを判定し、その表紙のシートが特定のシートであると判定すると、本文の画像データを本文の最後から先頭に向かう順番に印刷し、当該印刷したシートを反転手段により反転せずに排紙し、最後に前記表紙の画像データを前記特定のシートに印刷し、当該特定のシートを反転手段により反転せずに排紙する第１の制御と、最初に前記表紙の画像データの鏡像を前記特定のシートに印刷し、当該特定のシートを反転手段により反転せずに排紙し、次に前記本文の画像データを前記本文の先頭から最後に向かう順番に印刷し、当該印刷したシートを反転手段により反転して排紙する第２の制御と、を切り替えて実行する。【選択図】  図８
2016193581.tif 000002
【特許請求の範囲】
【請求項１】
印刷装置であって、
印刷済のシートの表裏を反転して排紙する反転手段と、
表紙と本文の画像データを含む製本用の印刷データを受け取ると、前記表紙の画像データを印刷するシートが特定のシートかどうかを判定する判定手段と、
前記判定手段により前記シートが前記特定のシートであると判定されると、
前記本文の画像データを前記本文の最後から先頭に向かう順番に印刷し、当該印刷したシートを前記反転手段により反転せずに排紙し、最後に前記表紙の画像データを前記特定のシートに印刷し、当該特定のシートを前記反転手段により反転せずに排紙する第１の制御と、
最初に前記表紙の画像データの鏡像を前記特定のシートに印刷し、当該特定のシートを前記反転手段により反転せずに排紙し、次に前記本文の画像データを前記本文の先頭から最後に向かう順番に印刷し、当該印刷したシートを前記反転手段により反転して排紙する第２の制御と、を切り替えて実行するように制御する制御手段と、
を有することを特徴とする印刷装置。
【請求項２】
前記第２の制御は、前記表紙のシートの印刷品位を優先させる場合の制御であり、前記第１の制御は、製本処理を優先させるための制御であることを特徴とする請求項１に記載の印刷装置。
【請求項３】
前記制御手段は、更に、前記特定のシートが前記反転手段により反転して排紙可能と判定すると、前記第１の制御に代えて、
前記本文の画像データを前記本文の最後から先頭に向かう順番に印刷し、当該印刷したシートを前記反転手段により反転せずに排紙し、最後に前記表紙の画像データの鏡像を前記特定のシートに印刷し、当該特定のシートを前記反転手段により反転させて排紙する第３の制御を実行することを特徴とする請求項１又は２に記載の印刷装置。
【請求項４】
前記判定手段は、前記印刷データが指定する前記表紙の画像データを印刷するシートの給紙部に収容されているシートの種類を取得し、当該シートの種類に基づいて、前記表紙の画像データを印刷するシートが特定のシートかどうかを判定することを特徴とする請求項１乃至３のいずれか１項に記載の印刷装置。
【請求項５】
前記特定のシートは、透明のフィルムであることを特徴とする請求項１乃至４のいずれか１項に記載の印刷装置。
【請求項６】
請求項１乃至５のいずれか１項に記載の印刷装置と、当該印刷装置から排紙されたシートに対して後処理を実行する後処理装置とを有する印刷システムであって、
前記後処理装置は、
前記印刷装置から排紙されたシートを受け取って積載するスタック部と、
前記スタック部に積載されたシートの束を製本する製本手段と、
前記製本手段による製本の対象でないシートの束を積載する出力トレイと、
を有することを特徴とする印刷システム。
【請求項７】
前記後処理装置は、前記第１の制御で排紙されたシートを前記スタック部に積載して収容することを特徴とする請求項６に記載の印刷システム。
【請求項８】
前記後処理装置は、前記第２の制御で排紙されたシートを前記出力トレイに積載して収容することを特徴とする請求項６又は７に記載の印刷システム。
【請求項９】
前記後処理装置は、前記第３の制御で排紙されたシートを前記スタック部に積載して収容することを特徴とする請求項３に従属する請求項６に記載の印刷システム。
【請求項１０】
前記製本手段は、前記スタック部に積載されたシートの束を中綴じ製本することを特徴とする請求項６乃至９のいずれか１項に記載の印刷システム。
【請求項１１】
印刷装置を制御する制御方法であって、
印刷済のシートの表裏を反転して排紙する反転工程と、
表紙と本文の画像データを含む製本用の印刷データを受け取ると、前記表紙の画像データを印刷するシートが特定のシートかどうかを判定する判定工程と、
前記判定工程で前記シートが前記特定のシートであると判定されると、
前記本文の画像データを前記本文の最後から先頭に向かう順番に印刷し、当該印刷したシートを前記反転工程により反転せずに排紙し、最後に前記表紙の画像データを前記特定のシートに印刷し、当該特定のシートを前記反転工程により反転せずに排紙する第１の制御と、
最初に前記表紙の画像データの鏡像を前記特定のシートに印刷し、当該特定のシートを前記反転工程により反転せずに排紙し、次に前記本文の画像データを前記本文の先頭から最後に向かう順番に印刷し、当該印刷したシートを前記反転工程により反転して排紙する第２の制御と、を切り替えて実行するように制御する制御工程と、
を有することを特徴とする印刷装置の制御方法。
【請求項１２】
コンピュータを、請求項１乃至５のいずれか１項に記載の印刷装置の各手段として機能させるためのプログラム。
【発明の詳細な説明】
【技術分野】
【０００１】
本発明は、印刷システム、印刷装置とその制御方法、及びプログラムに関するものである。
【背景技術】
【０００２】
従来から複写機等で印刷された印刷物に対して後処理を施すことにより、その印刷物の見栄えや使い勝手を良くすることが行なわれている。このような後処理には、例えば印刷された印刷物に対して、後処理でパンチ穴を開けて、オフィスにあるバインダーに閉じられるようにするステイプル処理などがある。また、このような後処理には製本処理があり、この製本処理には、例えば製本用にレイアウトされて印刷された用紙を中綴じして製本するものがある。
【０００３】
また印刷物の見栄えや使い勝手を良くするために、印刷と後処理で使用できる用紙の種類を増やすことが要求されており、例えば表面がコートされているコート紙や透明のフィルムなどが印刷用紙として使用できる。例えば特許文献１には、原稿像の鏡像を印刷したＯＨＰシートと、原稿像の正像を印刷した合紙とを重ね、ＯＨＰシートの裏面側からＯＨＰシートの画像を原稿像の正立正像として目視することが記載されている。そして、そのＯＨＰシートをめくれば、合紙上の画像をそのまま原稿像の正立正像として目視することが出来ることが記載されている。
【０００４】
この技術を応用して、印刷物の見栄えを良くするために、印刷物の表紙、裏表紙、合紙などに透明のフィルムを使用し、その裏面に鏡像で表紙の画像を印刷し、そのフィルムの表面から見た場合に、透明のフィルム越しに表紙の画像が見えるようにする。こうして表紙や裏表紙の見栄えを良くして、本文を汚れにくくすることが考えられている。
【先行技術文献】
【特許文献】
【０００５】
【特許文献１】特開平５−３５１５１号公報
【発明の概要】
【発明が解決しようとする課題】
【０００６】
しかしながら、表紙に透明のフィルムを使用する場合、このような透明のフィルムは曲がりにくいため、印刷装置で反転して排出できない場合がある。従って、表紙の印刷時に、透明のフィルムを反転させて、その裏面に鏡像を印刷しようとしても、その印刷ができないといった事態が生じる。そこで、これを回避するためには、表紙として使用する透明のフィルムの表面に正像で、表紙の画像を印刷する必要があるが、これでは印刷面が透明フィルムの表側に来てしまうため見栄えを損なうことになる。
【０００７】
本発明の目的は、上記従来技術の課題を解決することにある。
【０００８】
本発明の特徴は、製本用の表紙に使用するシートの種類に応じて、本文と表紙の画像データの印刷順と、表紙と本文が印刷されたシートの排紙方法を変更することにより、製本物の見栄えを維持する技術を提供することにある。
【課題を解決するための手段】
【０００９】
上記目的を達成するために本発明の一態様に係る印刷装置は以下のような構成を備える。即ち、
印刷装置であって、
印刷済のシートの表裏を反転して排紙する反転手段と、
表紙と本文の画像データを含む製本用の印刷データを受け取ると、前記表紙の画像データを印刷するシートが特定のシートかどうかを判定する判定手段と、
前記判定手段により前記シートが前記特定のシートであると判定されると、
前記本文の画像データを前記本文の最後から先頭に向かう順番に印刷し、当該印刷したシートを前記反転手段により反転せずに排紙し、最後に前記表紙の画像データを前記特定のシートに印刷し、当該特定のシートを前記反転手段により反転せずに排紙する第１の制御と、
最初に前記表紙の画像データの鏡像を前記特定のシートに印刷し、当該特定のシートを前記反転手段により反転せずに排紙し、次に前記本文の画像データを前記本文の先頭から最後に向かう順番に印刷し、当該印刷したシートを前記反転手段により反転して排紙する第２の制御と、を切り替えて実行するように制御する制御手段と、を有することを特徴とする。
【発明の効果】
【００１０】
本発明によれば、製本用の印刷データを印刷する際、表紙に使用するシートに応じて、本文と表紙の画像データの印刷順と、表紙と本文が印刷されたシートの排紙方法を変更することにより、製本物の見栄えを維持できる。
【図面の簡単な説明】
【００１１】
【図１】本発明の実施形態に係る複写機の構造を説明する断面図。
【図２】実施形態に係るフィニッシャの構造を説明する断面図。
【図３】本実施形態に係る複写機の制御部の構成を説明するブロック図。
【図４】実施形態１に係る複写機において印刷済の用紙を排紙する機構を説明する図。
【図５】実施形態に係る複写機の操作部の外観図。
【図６】、
【図７】実施形態に係る複写機による印刷と排紙処理を説明するフローチャート。
【図８】本実施形態の概要を説明する図。
【図９】実施形態に係る複写機が保持している用紙情報を説明する図。
【図１０】実施形態に係る複写機の操作部に表示される用紙の設定画面の一例を示す図。
【図１１】、
【図１２】実施形態に係るコピー画面の一例を説明する図。
【図１３】ユーザ設定キーが押下されたときに操作部に表示される仕上げ優先指定画面の一例を示す図。
【発明を実施するための形態】
【００１２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。尚、以下の実施形態では、本発明に係る印刷装置を複写機を例に説明するが、本発明はこのような複写機に限定されるものでなく、複合機（多機能処理装置）や、ＰＣ等から印刷データを受信して印刷する印刷装置（プリンタ）等であっても良い。
【００１３】
図１は、本発明の実施形態に係る複写機の構造を説明する断面図である。
【００１４】
原稿給紙装置１０１のトレイ１０２には、読み取り対象の原稿１０３が載置されており、この原稿は一枚ずつ原稿読み取り装置（スキャナ）１１９に搬送されて流し読みされる。詳しく説明すると、原稿給紙ローラ１０４は分離パッド１０５と対に構成され、トレイ１０２上の原稿１０３を一枚ずつ給紙する。こうして給紙された原稿１０３は、中間ローラ対１０６により原稿読み取り装置１１９内に搬送され、大ローラ１０８と第１従動ローラ１０９とによって挟持されて、それらの回転により搬送される。そして更に大ローラ１０８と第２従動ローラ１１０とにより挟持され、それらローラの回転により大ローラ１０８の回転方向に沿って搬送される。こうして搬送された原稿１０３は、流し読み原稿ガラス１１２、ジャンプ台１１８と原稿ガイド板１１７を通過し、大ローラ１０８と第３従動ローラ１１１とにより搬送される。こうして原稿１０３が流し読み原稿ガラス１１２上を通過する際、流し読み原稿ガラス１１２に接している原稿面が露光部１１３によって露光され、その反射光がミラーユニット１１４により反射されてレンズ１１５に送られる。こうしてレンズ１１５を通過して集光された光は、ＣＣＤセンサ部１１６により電気信号に変換されることにより、原稿１０３の画像の画像信号が得られる。こうして画像が読み取られた原稿１０３は、原稿排紙ローラ対１０７により原稿読み取り装置１１９から排出される。尚、流し読み原稿ガラス１１２と原稿ガイド板１１７との間では、原稿１０３は原稿ガイド板１１７に沿って流し読みガラス１１２に接触する形で搬送される。
【００１５】
また、ユーザがコピーしたい所望の原稿１２１をプラテンガラス１２０に置いて、操作部３３０（図５）のスタートボタンを押すことにより、露光部１１３が図１の左右方向（副走査方向）に移動して、原稿１２１を読み取ることもできる。
【００１６】
次にプリンタ部１５０の構成を説明する。
【００１７】
プリンタ１５０は、レーザーユニット１２２により画像データをレーザ光へ変換し、レーザーユニット１２２から発光されるレーザ光により、感光体ドラム１２３〜１２６に各色に対応する画像の静電潜像を形成する。尚、感光体ドラム１２３〜１２６は、Ｙ（黄色）、Ｍ（マゼンタ）、Ｃ（シアン）及びＢＫ（黒）の画像信号に基づいて、各対応する色の画像を形成するのに使用される。こうして各感光体ドラム上に形成された静電潜像は、現像ユニット１２７〜１３０から供給される各色のトナーにより、それぞれ各色に対応するトナー像に形成される。このトナー像は、給紙カセット１３１或いは１３２、或いは手差しトレイ１３８から給紙される用紙に順次転写されて、最終的にカラー画像が形成される。尚、現像ユニット１２７はＹ（黄色）、現像ユニット１２８はＭ（マゼンタ）、現像ユニット１２９はＣ（シアン）、そして現像ユニット１３０はＢＫ（黒）のトナーを供給する。こうしてカラー画像が転写された用紙は、定着器１３３に送られて定着された後、搬送ローラ対１３４，１３５の回転により機外、或いは接続されている図２のフィニッシャ２００に排紙される。このとき、搬送ローラ対１３４，１３５，１３７、フラッパ１３６により用紙の反転制御を行うことにより、用紙を印刷面を上にした状態で排紙するか、或いは印刷面を下にした状態で排紙するかを切り替えることができる。
【００１８】
図２は、実施形態に係るフィニッシャ（後処理装置）２００の構造を説明する断面図である。このフィニッシャ２００は図１の複写機に接続されて印刷システムを形成し、複写機で印刷された用紙を受け取って後処理（ここでは製本処理）を実行する。
【００１９】
フィニッシャ２００は、図１の複写機から排出された用紙を搬送口２０１を介して受け取り、搬送ローラ２０２によりスタック部２０３上に用紙束２１２として積載する。こうしてスタック部２０３に積載された用紙束２１２に対して、突き出し装置２０４により折ローラ２０５に用紙の中央を押し当てることにより、中綴じ製本処理をする。こうして中綴じ処理された用紙束は、排紙ローラ２０５によりトレイ２０６に排出される。出力トレイ２１１は、製本処理を実施しない用紙を排出するのに使用される。ここで実施形態に係るフィニッシャ２００は、中綴じ製本処理を前述のような機構で実現しているため、中綴じ製本処理の際は、複写機は、製本される一番最後の用紙から印刷して、印刷済の用紙を表面を上向きにして排紙する必要がある。
【００２０】
図３は、本実施形態に係る複写機の制御部の構成を説明するブロック図である。
【００２１】
ＣＰＵ３０１は、ＲＯＭ３０２に格納されている制御プログラム、或いはＲＯＭ３０２に格納されているブートプログラムによってＨＤＤ３２０からＩ／Ｏ制御部３１７を介してＤＲＡＭ３０４に展開された制御プログラムに従って、後述する制御を実行する。
【００２２】
スキャナ１１９が読み取って得られた原稿の画像データは、スキャナ１１９のＣＰＵ３０８の制御によりＲＧＢ信号に変換され、ＣＰＵ３０１の制御の下に、スキャナＩ／Ｆ３０６、バスコントローラ３０５を介してＤＲＡＭ３０４に格納される。その後、Ｉ／Ｏ制御部３１７を介してＨＤＤ３２０に保存される。このＨＤＤ３２０に保存された画像データを印刷する場合は、その画像データはＣＰＵ３０１の制御の下でＤＲＡＭ３０４に一時保存される。その後、描画処理部３０３を介してＲＧＢ→ＣＭＹＫ変換などの色変換処理がなされた後、プリンタＩ／Ｆ３１０を介してプリンタ部１５０へ送られて印刷される。このときＣＰＵ３０１は、Ｉ／Ｏ制御部３１７のシリアル通信コントローラ３１８、シリアル通信ライン３１６を介して、プリンタ部１５０のＣＰＵ３１３に、印刷した用紙を反転してフィニッシャ２００に出力するように指示することができる。
【００２３】
またＣＰＵ３０１は、スキャナ１１９のＣＰＵ３０８に対して、Ｉ／Ｏ制御部３１７のシリアル通信コントローラ３１８、シリアルライン３０９を介して、原稿１０３を読み取るように指示することができる。これによりＣＰＵ３０１は、スキャナ１１９により得られた画像データをＤＲＡＭ３０４或いはＨＤＤ３２０に格納する。
【００２４】
またＣＰＵ３０１は、ＨＤＤ３２０に記憶されている画像データをＤＲＡＭ３０４に展開し、描画処理部３０３によりＲＧＢ信号からＣＭＹＫ色空間の信号に変換した後、ビデオケーブル３１１を介してプリンタ部１５０に転送して印刷を実行する。
【００２５】
操作部インターフェース３１９は操作部３３０とのインタフェースを制御しており、操作部３３０への表示データの出力、及び操作部３３０でユーザにより入力された情報をＩ／Ｏ制御部３１７を介してＣＰＵ３０１に伝える。
【００２６】
ＣＰＵ３１５はフィニッシャ２００が備えるＣＰＵで、フィニッシャ２００の動作を制御している。
【００２７】
図４は、実施形態１に係る複写機において印刷済の用紙を排紙する機構を説明する図である。図４において、図１と共通する箇所は同じ参照番号で示しているが、図１の搬送ローラ対１３４，１３５の各ローラはそれぞれ１３４ａ，１３４ｂと，１３５ａ，１３５ｂで示している。
【００２８】
定着器１３３で画像が定着された用紙４０１は、用紙４０１の上面に画像が形成されており、図４（Ａ）は、これをそのままフィニッシャ２００に排出する場合を示す。ここでは搬送ローラ１３４ａ，１３４ｂ，１３５ａ，１３５ｂをそれぞれ矢印方向に回転させることにより、用紙４０１は矢印４０２で示す方向に搬送される。
【００２９】
図４（Ｂ）は、定着器１３３で画像が定着された用紙４０１の表裏を反転させて、用紙４０１の画像が形成された面を下に向けてフィニッシャ２００に排出する場合を示す。ここでは、まず定着器１３３から送られてきた用紙４０１に対してフラッパ１３６を矢印４０３の方向に移動させることにより、用紙４０１を矢印４０４の方向に導き、搬送ローラ対４０５，１３７の回転により下方に用紙４０１を搬送する。こうして搬送された用紙４０１は、４０６で示す位置で一旦停止した後、搬送ローラ対４０５，１３７を逆回転させることにより、矢印４０７で示す方向へ戻される。このときフラッパ１３６は、この戻された用紙を搬送ローラ対１３５ａ，１３５ｂの方向に送るように位置づけられている。こうして、定着器１３３で画像が定着された用紙４０１の表裏が反転され、その用紙は搬送ローラ対１３５ａ，１３５ｂの回転によりフィニッシャ２００に排出される。
【００３０】
ＣＰＵ３０１は、Ｉ／Ｏ制御部３１７、シリアル通信コントローラ３１８、シリアル通信ライン３１６を介してプリンタ部１５０のＣＰＵ３１３に、印刷済の用紙を、反転して、或いは反転せずにフィニッシャ２００に出力するかを指示できる。
【００３１】
図５は、実施形態に係る複写機の操作部３３０の外観図である。
【００３２】
メインメニューキー５０１は、表示部５０２にメニュー画面を表示するように指示するキーボタンである。ユーザ設定キー５０３は、表示部５０２に、例えば後述する用紙の設定画面等を表示するように指示するキーボタンである。スタートボタン５０４は、コピーの開始等を指示するキーボタンである。尚、表示部５０２は、タッチパネル機能を備えている。
【００３３】
次に本発明の実施形態を詳しく説明する前に、図８を参照して、本実施形態に係る特徴を詳しく説明する。
【００３４】
図８は、本実施形態の概要を説明する図である。
【００３５】
図８（Ａ）は、製本の表紙に透明のフィルム（特定のシート）を使用した場合を示し、８０２は、透明のフィルムの裏面を示し、裏面に表紙の画像を鏡像で印刷した状態を示している。８０１は、その透明のフィルムを表側から見た図である。このように透明のフィルムに鏡像を印刷し、その裏側からその印刷した画像を見ると、その画像の光沢が増したように見えるため、表紙の画像の印刷品位を向上させるためにこのような手法がとられる。
【００３６】
図８（Ｂ）は、図８（Ｃ）に示す順番で本文と表紙とを印刷して、印刷済の用紙を反転せずにフィニッシャ２００に排出してスタック部２０３に積載し、突き出し装置２０４により中綴じ製本する様子を示す図である。ここでは本文の画像データは、各用紙が二つに折られて中綴じされるため、各用紙に２ｉｎ１で印刷される。そして本文は、その最後から先頭に向かう順番に印刷されて、その印刷された用紙は印刷面を上にして順次積載される。そして最後に表紙となる透明フィルムの裏面に表紙の画像データが鏡像で印刷され、その印刷された透明フィルムの表裏を反転して排紙する。これにより、図８（Ｂ）に示すように、本文の上に表紙の透明フィルムが反転されて載った状態になり、この状態で突き出し装置２０４により中綴じ製本すると、光沢のある表紙を有する製本物が得られる。
【００３７】
図８（Ｄ）は、前述したように、透明フィルムの場合、そのシートのコシが強いので、複写機内で、その裏面に表紙の画像が印刷できない（両面印刷が不可能）場合を示している。従って、この場合は、図８（Ｃ）に示すような順番で印刷することができなくなる。
【００３８】
図８（Ｅ）（Ｆ）は、本実施形態に係る製本用の印刷データの印刷順と、印刷した用紙のフィニッシャ２００への積載順を説明する図である。
【００３９】
図８（Ｅ）では、最初に表紙となる透明フィルムの表面に、鏡像で表紙の画像を印刷し、その透明フィルムを反転せずにフィニッシャ２００に排出する。そして次に本文となる用紙を、図８（Ｅ）で示すように、本文の最初から最後に向かう順番で印刷し、本文を印刷したシートを反転してフィニッシャ２００に排出する。こうして、これらシートがフィニッシャ２００内に積載された状態を図８（Ｆ）に示す。
【００４０】
一方、図８（Ｂ）に示すように、スタック部２０３にこれら用紙を積載して突き出し装置２０４により中綴じ製本するためには、図８（Ｇ）に示すような積載順にする必要がある。即ち、最上位に透明のフィルが位置し、その後に本文が先頭から順番に積載されればよいことが分かる。
【００４１】
図８（Ｈ）は、このために印刷の順番を図８（Ｅ）の場合と逆にし、本文を印刷した用紙（シート）を反転せずに排紙し、最後に表紙の画像を印刷した透明フィルムを反転せずにフィニッシャ２００に排出する場合を示している。これは図７のフローチャートで示す処理に相当している。
【００４２】
図６及び図７は、実施形態に係る複写機による印刷と排紙処理を説明するフローチャートである。尚、この処理を実行する制御プログラムはＲＯＭ３０２或いはＨＤＤ３２０に記憶されており、実行時ＤＲＡＭ３０４に展開され、ＣＰＵ３０１の制御の下に実行される。
【００４３】
まずＳ６０１でＣＰＵ３０１は、印刷に使用する給紙段を設定する。このときユーザは、印刷を行うための準備として給紙カセット１３１或いは給紙カセット１３２に用紙をセットした後、その給紙カセットに用紙の種別を登録する。このときユーザは、操作部３３０のユーザ設定キー５０３を操作して、表示部５０２に用紙の設定画面を表示させて、給紙カセットにセットした用紙の種類を登録する。
【００４４】
図１０は、実施形態に係る複写機の操作部３３０に表示される用紙の設定画面の一例を示す図である。
【００４５】
図１０（Ａ）は、用紙の設定画面の一例を示し、ここでボタン１００１は給紙カセット１３１、ボタン１００２は給紙カセット１３２の用紙設定を指示するボタンである。ここで例えば、ボタン１００１を押下して設定ボタン１００３が押下されると、例えば図１０（Ｂ）に示すような用紙種類の設定画面が表示される。
【００４６】
図１０（Ｂ）において、用紙の種類一覧１００６の中から、ユーザがセットした用紙の種類を選択するとＯＫボタン１００７が押下可能になる。図１０（Ｂ）でユーザが、用紙の種類一覧１００６の中から用紙の種類を選択してＯＫボタン１００７を押下すると図１０（Ａ）の画面に戻る。図１０（Ａ）の画面でユーザがＯＫボタン１００４を押下すると、ユーザが選択した給紙カセットへの用紙の設定処理が終了する。
【００４７】
こうしてＣＰＵ３０１は、ユーザが、給紙カセット１３１或いは給紙カセット１３２に設定した用紙の種類を取得することができる。
【００４８】
図９（Ａ）は、こうして給紙カセット１３１，１３２及び手差しトレイ１３８に設定された用紙情報を格納する用紙情報テーブルの一例を示す図である。この情報は、例えばＨＤＤ３２０に記憶されている。尚、図９（Ａ）において、給紙段の「１」は給紙カセット１３１に対応し、給紙段の「２」は給紙カセット１３２に対応している。
【００４９】
また図９（Ｂ）は、図１０（Ｂ）の用紙の種類一覧１００６に表示される用紙種類の一覧テーブルを示し、この情報は、例えばＲＯＭ３０２或いはＨＤＤ３２０に保存されている。図９（Ａ）の用紙タイプＩＤは、図９（Ｂ）の用紙の種類一覧の用紙タイプＩＤに対応している。図９の例では、給紙カセット１３１にはＡ４サイズの普通紙が、給紙カセット１３２には透明のフィルムが、手差しトレイ１３８にはパンチ済の用紙がそれぞれ設定されている。このようにＳ６０１でＣＰＵ３０１は、例えば図９（Ａ）に示す用紙情報テーブルを作成してＤＲＡＭ３０４或いはＨＤＤ３２０に保存する。
【００５０】
次にＳ６０２に進みＣＰＵ３０１は、操作部３３０のメインメニューキー５０１が押下されると表示部５０２にコピー画面を表示し、そのコピー画面を介してユーザにより入力される情報に従ってコピーモードを設定する。
【００５１】
図１１及び図１２は、実施形態に係るコピー画面の一例を説明する図である。
【００５２】
図１１（Ａ）は、コピーの初期画面例を示す。ここで「その他の機能」ボタン１１０１が押下されると図１１（Ｂ）のその他の機能の設定画面が表示される。
【００５３】
図１１（Ｂ）で「製本割付けする」ボタン１１０３が押下されると図１２（Ａ）に示す製本コピーの設定画面に移行する。
【００５４】
図１２（Ａ）の製本コピーの設定画面は、「製本割付する」ボタン１２０１，「製本割付しない」ボタン１２０２、「折り＋中綴じ」ボタン１２０３，「折りのみ」ボタン１２０４、「表紙をつける」ボタン１２０５を含む。
【００５５】
ここで「表紙をつける」ボタン１２０５が押下されると、図１２（Ｂ）に示す表紙の設定画面が表示される。この設定画面は、表紙の印刷を設定する「表紙のオモテ」ボタン１２１１、「表紙のウラ」ボタン１２１２、「ウラ表紙のオモテ」ボタン１２１３、「ウラ表紙のウラ」ボタン１２１４と、表紙に使用する用紙の選択１２１５を含む。
【００５６】
これら設定画面を介してユーザにより設定された内容は、操作部Ｉ／Ｆ３１９からＩ／Ｏ制御部３１７を介してＣＰＵ３０１に通知される。ＣＰＵ３０１はＳ６０２で、その通知された内容をＤＲＡＭ３０４にコピーモード設定として保存する。
【００５７】
次にＳ６０３に進みＣＰＵ３０１は、ユーザがコピーしたい所望の原稿を原稿トレイ１０２或いは原稿１２１のようにプラテンガラス１２０上に置いて、スタートキー５０４を押下するのを待つ。スタートキー５０４が押下されるとＳ６０４に進みＣＰＵ３０１は、ＤＲＡＭ３０４に保存されたコピーモードの設定に応じてコピー動作を開始する。
【００５８】
このときＳ６０４でＣＰＵ３０１は、ＤＲＡＭ３０４に保存されているコピーモードの設定から製本処理の表紙が設定されているかどうかを判定する。製本処理の表紙が設定されていないと判定した場合はＳ６２４に進みＣＰＵ３０１は、プリンタ部１５０のＣＰＵ３１３に対して反転排紙を指示する。
【００５９】
これによりプリンタ部１５０のＣＰＵ３１３は、印刷された用紙の排出に際して前述の図４（Ｂ）で示したような制御を行って、印刷済の用紙の表裏を判定してフィニッシャ２００に排紙するように制御する。これにより印刷済の用紙はフィニッシャ２００の出力トレイ２１１上に、印刷面を下にした状態で積載されることになる。
【００６０】
次にＳ６２５に進みＣＰＵ３０１は、Ｉ／Ｏ制御部３１７、シリアル通信コントローラ３１８、シリアルライン３０９を介して、スキャナ１１９のＣＰＵ３０８に原稿の読み取りを指示する。これによりスキャナ１１９で得られた原稿の画像データを取得してＤＲＡＭ３０４、ＨＤＤ３２０に格納する。次にＳ６２６に進みＣＰＵ３０１は、ＨＤＤ３２０に格納された画像データを描画処理部３０３で処理し、プリンタＩ／Ｆ３１０を介してプリンタ部１５０に出力して印刷させる。これによりプリンタ部１５０のＣＰＵ３１３は、プリンタＩ／Ｆ３１０を介して受信した画像データを用紙に印刷し、予めＣＰＵ３０１から指定された反転排紙の制御を行って、フィニッシャ２００に排紙する。そしてＳ６２７に進みＣＰＵ３０１は、全ての原稿を読み取って印刷するまでＳ６２５〜Ｓ６２７の処理を繰り返し実行し、全ての原稿に対する処理が終了すると、この処理を終了する。
【００６１】
一方、Ｓ６０４でＣＰＵ３０１は、ＤＲＡＭ３０４に保存されているコピーモード設定で製本処理の表紙が設定されていると判定するとＳ６０５に進み、ＣＰＵ３０１は表紙として選択されている用紙が透明のフィルムかどうかを判定する。このときＣＰＵ３０１は、ＤＲＡＭ３０４に設定されているコピーモード設定から、表紙に使用される用紙を収容している給紙カセット（給紙部）に設定されている用紙タイプＩＤ（図９（Ａ））を取得する。そして、その用紙タイプＩＤから、例えば図９（Ｂ）の用紙種類の一覧テーブルを参照して、その表紙として使用される用紙の名称、表面性、色等を取得する。こうしてＣＰＵ３０１は、その取得した用紙タイプＩＤの表面性、色等の属性情報に基づいて、その表紙として選択されている用紙が透明のフィルムかどうかを判定する。
【００６２】
Ｓ６０５でＣＰＵ３０１は、表紙として選択された用紙が透明でないと判定するとＳ６１５に進む。Ｓ６１５でＣＰＵ３０１は、プリンタＩ／Ｆ３１０を介して、プリンタ部１５０のＣＰＵ３１３に対して、印刷済の用紙を反転して排紙、及び反転せずに排紙する通常排紙の両方の制御と、中綴じ処理を指示する。
【００６３】
そしてＳ６１６に進みＣＰＵ３０１は、原稿１０３を流し読みで読み込ってＨＤＤ３２０に、その画像データを格納する。Ｓ６１７で全ての原稿１０３が読み込まれて画像データとしてＨＤＤ３２０に保存されるとＳ６１８に進む。Ｓ６１８でＣＰＵ３０１は、ＨＤＤ３２０に最後に格納された画像データから順にＤＲＡＭ５０４に展開し、描画処理部５０３で処理した画像データをプリンタＩ／Ｆ３１０を介してプリンタ部１５０に出力して印刷させる。このときＣＰＵ３１０は、ＣＰＵ３１３に対して、反転せずに排紙する通常排紙（図４（Ａ））に相当する制御を行うことを指示する。この処理をＳ６１９で本文を全て印刷するまで繰り返し実行する。これによりフィニッシャ２００のスタック部２０３には、本文の最終の印刷済の用紙から順に印刷面を上にした状態で（例えば図８（Ｂ）の本文のように）、本文の印刷済用紙が積載される。
【００６４】
こうして本文の印刷が完了してフィニッシャ２００のスタック部２０３に積載されるとＳ６２０に進む。Ｓ６２０でＣＰＵ３０１は、ＨＤＤ３２０からプリンタ部１５０に転送する画像データの最後の画像データを表紙用の画像データと判定する。そしてＣＰＵ３０１は、ＤＲＡＭ３０４に保存しているコピーモード設定から、表紙の用紙を収容している給紙カセットと、その給紙カセットの用紙タイプを取得し、その表紙に使用する用紙が透明かどうかを判定する。ここで表紙の用紙が透明であると判定した場合はＳ６２１に進みＣＰＵ３０１は、プリンタ部１５０のＣＰＵ３１３に対して反転排出処理を指示する。そしてＨＤＤ３２０に格納されている表紙となる画像データをＨＤＤ３２０からＤＲＡＭ３０４に展開し、描画処理部３０３でＲＧＢ→ＹＭＣＫ色空間処理、鏡像処理をした後、プリンタ部１５０に出力して印刷させる。これによりプリンタ部１５０のＣＰＵ３１３は、ＣＰＵ３０１の指示に従って、印刷した用紙を前述の図４（Ｂ）で説明したように判定して排紙する。これによりフィニッシャ２００のスタック部２０３の用紙束（本文）の上に、表紙となる透明のフィルムが印刷面を下にして積載された状態となる。
【００６５】
こうして表紙を排紙してスタック部２０３に積載した後、プリンタ部１５０のＣＰＵ３１３は、フィニッシャ２００のＣＰＵ３１５に対して中綴じ処理を指示する。これによりフィニッシャ２００のＣＰＵ３１５は、搬送口２０１から搬送されてスタック部２０３に積載された用紙束２１２に対して中綴じ機構２０４を用いて中綴じ処理を行う（Ｓ６２３）。そして中綴じ製本した成果物を排紙ローラ２０５によりトレイ２０６に排出する。
【００６６】
このときは、本文の用紙は、最後のページから順に印刷され、印刷面を上にした状態でスタック部２０３に積載されている。従って、積載されている用紙束の一番上のページは本文の最初のページとなり、その上に透明の表紙が、その表面に鏡像が印刷されて反転された状態で載っている。この状態で中綴じ機構２０４を用いて中綴じ製本を実行すると、透明フィルムの表紙と本文とで構成される製本物が得られることになる。このとき表紙は、透明フィルムの裏側から、その表側に印刷された表紙の鏡像の画像を見る状態になり、結果的に図８（Ａ）の状態と同様になる。
【００６７】
一方、Ｓ６２０でＣＰＵ３０１は、表紙の用紙が透明でないと判定するとＳ６２２に進みＣＰＵ３０１は、プリンタ部１５０のＣＰＵ３１３に対して通常の排紙処理を指示する。そしてＨＤＤ３２０に保存されている表紙の画像データをＨＤＤ３２０からＤＲＡＭ３０４に展開して描画処理部３０３でＲＧＢ→ＹＭＣＫ色空間処理をしてプリンタ部１５０に出力して印刷させる。これによりプリンタ部１５０のＣＰＵ３１３は、ＣＰＵ３０１からの指示に従って表紙を印刷し、その印刷した用紙を図４（Ａ）で説明した通常排紙により排紙する。そしてＳ６２３に進み、ＣＰＵ３１３はフィニッシャ２００のＣＰＵ３１５に対して前述と同様の中綴じ処理を行わせる。
【００６８】
このときは、本文の用紙は、最後から順に印刷面を上にした状態でスタック部２０３に積載されている。従って、積載されている用紙束の一番上は本文の最初の用紙となり、その上に表紙が、正像が印刷された状態で載っている。この状態で中綴じ機構２０４を用いて中綴じ製本を実行すると、表紙と本文とで構成される製本物が得られることになる。
【００６９】
一方、Ｓ６０５でＣＰＵ３０１は、表紙の用紙が透明であると判定するとＳ６０６に進みＣＰＵ３０１は、図９（Ａ）の用紙情報テーブルの定型サイズから表紙の用紙のサイズを、図９（Ｂ）の用紙種類の一覧テーブルの表面性から用紙の表面性を取得する。そして、その取得した用紙の特性から、図９（Ｃ）の禁則情報テーブルを参照して、その表紙として使用する用紙が反転排紙が可能かどうかを判定する。
【００７０】
図９（Ｃ）は実施形態に係る用紙の禁則情報テーブルの一例を示す図である。
【００７１】
ここで用紙情報は、図９（Ｂ）の用紙種類の一覧テーブルの表面性に対応している。この図９（Ｃ）では、両面コート紙とフィルムは、給紙カセット１３１に収容できず、かつ両面印刷と反転排紙ができないように設定されている。
【００７２】
この図９（Ｃ）のテーブルから、ＣＰＵ３０１が、表紙として使用する用紙が反転できないと判定した場合はＳ６０８に進むが、反転できると判定した場合はＳ６１５に進み、前述した処理を実行する。尚、Ｓ６１５で表紙の用紙が透明であると判定するのは、このＳ６０７からＳ６１５に進んだ場合である。
【００７３】
Ｓ６０８でＣＰＵ３０１は、ＤＲＡＭ３０４に保存されているユーザモード設定に基づいて、仕上げ優先か、印刷品質優先のいずれが設定されているかを判定する。
【００７４】
このユーザモード設定は、ユーザが操作部３３０のユーザ設定キー５０３を押下することにより設定できる。
【００７５】
図１３は、ユーザ設定キー５０３が押下されたときに操作部３３０に表示される仕上げ優先指定画面の一例を示す図である。
【００７６】
この画面でユーザは、印刷品質優先ボタン１３０１、仕上げ優先ボタン１３０２のいずれかを押下してＯＫキー１３０３を押下することにより、この画面で選択された優先モードがＤＲＡＭ３０４に保存される。ここで印刷品質優先は、表紙に透明フィルムを使用した場合に、そのフィルムに鏡像を印刷し、その印刷した画像を、そのフィルムの印刷面の反対側から見ることにより、光沢のある表紙画像とみなすことができるようにするものである。一方、仕上げ優先は、表面を印刷した用紙と、本文を印刷した用紙とを製本の順にスタック部２０３に積載し、中綴じ機構２０４を用いて中綴じ製本ができるようにするものである。
【００７７】
Ｓ６０８でＣＰＵ３０１は、印刷品質優先が設定されていると判定した場合はＳ６０９に進み、仕上げ優先が設定されていると判定するとＳ７０１（図７）に進む。
【００７８】
Ｓ６０９でＣＰＵ３０１は、プリンタ部１５０のＣＰＵ３１３に対して通常排紙と反転排紙の両方を指示し、Ｓ６１０で、前述のＳ６１６と同様に原稿１０３の読み込み処理を行う。Ｓ６１１で原稿の読み込みが完了すると、ＨＤＤ３２０に保存されている画像データの中の、最初に読み込まれた画像データを表紙の画像データとする。そしてＳ６１２に進みＣＰＵ３０１は、プリンタ部１５０のＣＰＵ３１３に対して通常排紙を指示する。そしてＨＤＤ３２０から、表紙となる最初の画像データをＤＲＡＭ３０４に展開し、描画処理部３０３でＲＧＢ→ＣＭＹＫ色空間変換と鏡像処理を行ってプリンタ部１５０により表紙を印刷する。これによりプリンタ部１５０のＣＰＵ３１３は、その転送されてきた表紙の画像データの鏡像を、その表紙の表面に印刷し、通常排紙制御でフィニッシャ２００に排出する。このときフィニッシャ２００のＣＰＵ３１５は、中綴じ処理が指示されてないので、搬送されてきた用紙を出力トレイ２１１に排出する。
【００７９】
こうして表紙の画像データを印刷を完了するとＳ６１３に進みＣＰＵ３０１は、ＨＤＤ３２０に格納されている残りの画像データを本文の画像データとして印刷するために、プリンタ部１５０のＣＰＵ３１３に反転排紙処理を指示する。そしてＨＤＤ３２０からＤＲＡＭ３０４に画像データを転送した後、描画処理部３０３でＲＧＢ→ＣＭＹＫ色空間変換処理をしてプリンタ部１５０に転送する。こうしてＣＰＵ３１３は、転送されてきた画像データを用紙に印刷し、反転排紙処理を行ってフィニッシャ２００に排出する。これによりフィニッシャ２００のＣＰＵ３１５は、前述と同様に搬送されてきた用紙を出力トレイ２１１に排出する。そしてＣＰＵ３０１はＳ６１３〜Ｓ６１４で、ＨＤＤ３２０に保存されている表紙と判断された画像データを除く、全ての本文の画像データの印刷を実行すると、この処理を終了する。
【００８０】
このときフィニッシャ２００の出力トレイ２１１に積載される用紙は以下のようになる。即ち、まず最初に、鏡像が印刷された透明の表紙が印刷面を上にして出力トレイ２１１に載置される。次に本文を印刷した用紙が、本文の先頭ページから順に、印刷面を下にした状態で出力トレイ２１１に積載される。従って、出力トレイ２１１に排出された用紙束を取り出して、用紙束の最下面の表紙が上に来るように用紙束をひっくり返すと、一番上に透明の表紙、その下に本文が先頭ページから順に積載された印刷物の束となる。こうして表紙が光沢のある画像の表紙である印刷物の束が得られることになる。
【００８１】
一方、Ｓ６０８でＣＰＵ３０１が、仕上げ優先と判定した場合はＳ７０１（図７）に進みＣＰＵ３０１は、プリンタ部１５０のＣＰＵ３１３に対して通常排紙制御と中綴じ処理を指示する。次にＳ７０２に進みＣＰＵ３０１は、前述のＳ６１６等と同様に、スキャナ１１９により原稿の読み込み処理を行って、ＨＤＤ３２０に原稿の画像データを保存する。こうして全ての原稿の読み取りが完了するとＳ７０３からＳ７０４に進みＣＰＵ３０１は、ＨＤＤ３２０に保存された画像データの最後から順番にプリンタ部１５０のＣＰＵ３１３に転送する。これによりプリンタ部１５０のＣＰＵ３１３は、その転送されてきた画像データを印刷し、通常排紙制御を行ってフィニッシャ２００に排出する。
【００８２】
このときプリンタ部１５０のＣＰＵ３１３は、フィニッシャ２００のＣＰＵ３１５に対して中綴じ処理を指定する。これにより、フィニッシャ２００に搬送された用紙はスタック部２０３に蓄積される。こうしてＳ７０５で本文の印刷が完了するとＳ７０６に進みＣＰＵ３０１は、ＨＤＤ３２０に保存された最初に読み込んだ画像データを表紙の画像データと判定してその画像データをＤＲＡＭ３０４に展開する。そして描画処理部３０３でＲＧＢ→ＹＭＣＫ色空間処理してプリンタ部１５０に転送して表紙を印刷させる。これによりプリンタ部１５０のＣＰＵ３１３は、表紙となる画像データを印刷し、印刷された用紙を通常排紙制御を行いフィニッシャ２００に排出する。
【００８３】
こうして表紙を印刷した用紙が排紙されるとＳ７０７に進み、フィニッシャ２００のＣＰＵ３１５に対して中綴じ処理を通知する。これによりフィニッシャ２００のＣＰＵ３１５は、排出されてきた用紙がスタックされているスタック部２０３の用紙束２１２に対して中綴じ機構２０４を用いて中綴じ処理を行う。そして、中綴じ製本された製本物を排紙ローラ２０５によりトレイ２０６に排出すると、この処理を終了する。この場合の状態を図８（Ｈ）に示す。
【００８４】
このときスタック部２０３には、本文を印刷した用紙が、印刷面を上にした状態で、先頭ページが上にくるようにして積載されている。そして更に、その上に表紙の画像を印刷した用紙が、印刷面を上にした状態で積載されている。従って、この状態で中綴じ機構２０４を用いて中綴じ処理を行うと、表紙と本文からなる製本物が得られることになる。この場合、表紙の画像は、裏面からでなく、印刷された表面から見ることになる。従って、表紙の画像が光沢のあるものとはならないが、そのまま中綴じ処理を実行できるので、製本処理を効率的に実行できる。
【００８５】
以上説明したように本実施形態によれば、表紙として反転できない透明のフィルムなどのシートを使用した場合でも、見栄えを変えずに成果物を得ることができる。
【００８６】
また本実施形態によれば、製本／中綴じ処理を行うときに、表紙の有無、表紙に使用する用紙の種類、表紙に使用する用紙が反転排紙可能かどうかに応じて、画像データの印刷順番と、表紙と本文の排出方法を変更することができる。
【００８７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８８】
本発明は上記実施の形態に制限されるものではなく、本発明の精神及び範囲から離脱することなく、様々な変更及び変形が可能である。従って、本発明の範囲を公にするために、以下の請求項を添付する。
【符号の説明】
【００８９】
１１９…スキャナ、１５０…プリンタ部、２００…フィニッシャ、２０３…スタック部、２１１…出力トレイ、３０１…ＣＰＵ，３３０…操作部
【図１】
2016193581.tif 000003
【図２】
2016193581.tif 000004
【図３】
2016193581.tif 000005
【図４】
2016193581.tif 000006
【図５】
2016193581.tif 000007
【図６】
2016193581.tif 000008
【図７】
2016193581.tif 000009
【図８】
2016193581.tif 000010
【図９】
2016193581.tif 000011
【図１０】
2016193581.tif 000012
【図１１】
2016193581.tif 000013
【図１２】
2016193581.tif 000014
【図１３】
2016193581.tif 000015